(57)【要約】【課題】カードコネクタを低背化し、コンタクトの接触を確実とし、第１のコンタクトのねじれ等のおそれを回避する。【解決手段】カード状体またはカード状体が載置されたトレイが挿入され、カード状体またはトレイが収納可能な扁平な収納空間を有するハウジングと、ハウジングに一端側が固定され、収納空間に挿入されるカード状体またはトレイと他端側が当接することによって撓む板ばね状の第１のコンタクトと、一端が開放されて第１のコンタクトの他端側から一端側に向かって形成され、第１のコンタクトの板面方向に加わる力によって幅が狭くなるスリットと、ハウジングに一端側が固定される板状の第２のコンタクトとを有しする。第１のコンタクトが付勢されることによって、第１のコンタクトの他端側の端面が板面方向に撓んで第２のコンタクトに接触して摺動する。【選択図】図９
2014165164.tif 000002
【特許請求の範囲】
【請求項１】
カード状体またはカード状体が載置されたトレイが挿入され、前記カード状体または前記トレイが収納可能な扁平な収納空間を有するハウジングと、
前記ハウジングに一端側が固定され、前記収納空間に挿入される前記カード状体または前記トレイと他端側が当接することによって撓む板ばね状の第１のコンタクトと、
一端が開放されて前記第１のコンタクトの前記他端側から前記一端側に向かって形成され、前記第１のコンタクトの板面方向に加わる力によって幅が狭くなるスリットと、
前記ハウジングに一端側が固定される板状の第２のコンタクトとを有し、
前記第１のコンタクトが付勢されることによって、前記第１のコンタクトの他端側の端面が板面方向に撓んで前記第２のコンタクトに接触して摺動するカードコネクタ。
【請求項２】
前記第２のコンタクトは、前記第１のコンタクトのばねスパンの方向と交叉するばねスパンの方向を有し、且つ板面が前記第１のコンタクトの板面とほぼ直交して、前記ハウジングに一端側が固定される請求項１に記載のカードコネクタ。
【請求項３】
前記第２のコンタクトは、前記第２のコンタクトの他端側から前記一端側に向かって上昇し、前記第１のコンタクトの他端側の端面が板面方向に撓んで接触して摺動する傾斜面を有する請求項２に記載のカードコネクタ。
【請求項４】
前記第１のコンタクトの前記スリットの上下に位置する部分がばねスパンとほぼ垂直の方向で段差を持ち、前記上下に位置する部分において前記第２のコンタクトとの接触がなされない部分が前記カード状体または前記トレイと当接する請求項１に記載のカードコネクタ。
【請求項５】
前記第１のコンタクトの他端がばねスパンの方向にほぼ１８０°折り曲げ返され、
折り曲げ部の挿入側の平面が前記カード状体または前記トレイと当接するようになされ、
前記スリットを挟んで上下に位置する二つの部分を延長してなる先端が前記第２のコンタクトとの接触部となされる請求項１に記載のカードコネクタ。
【請求項６】
前記スリットは、幅が変化する形状を少なくとも一部に有する請求項３、請求項４および請求項５の何れかに記載のカードコネクタ。
【請求項７】
前記第１のコンタクトの前記他端側の先端の前記端面が前記傾斜面に沿った傾斜を有する形状とされる請求項３、請求項４および請求項５の何れかに記載のカードコネクタ。
【請求項８】
前記第１のコンタクトおよび前記第２のコンタクトが前記ハウジングに対してインサート成型で共に組み込まれている請求項３、請求項４および請求項５の何れかに記載のカードコネクタ。
【請求項９】
前記第２のコンタクトは、一つの板ばねを切り起こして形成されるものである請求項３、請求項４および請求項５の何れかに記載のカードコネクタ。
【発明の詳細な説明】
【技術分野】
【０００１】
この発明は、携帯電話機、ＰＤＡ(Personal Digital Assistants)、携帯型デジタルオ
ーディオプレーヤー、ゲーム装置、デジタルカメラ、情報端末機器等の各種の電子機器において使用されるＩＣカードが装着され、ＩＣカードと機器との間の電気的接続を行うカードコネクタに関する。
【背景技術】
【０００２】
ＩＣカードは、カードにＩＣ(Integrated Circuit)が埋め込まれたものである。ＩＣカードの種類として、不揮発性メモリを使用するメモリカードが広く使用されている。メモリカード例えばＳＤメモリカードは、リムーバブルな記録媒体として、携帯型デジタルオーディオプレーヤー、デジタルカメラ等で使用されている。さらに、携帯電話機においては、利用者の固有のＩＤ番号が記録されたＳＩＭカード(Subscriber Identity Module Card)が使用されている。
【０００３】
カードコネクタに対しては、ＩＣカードが挿抜自在とされている。例えばＩＣカードを収容したカードトレイ等のＩＣカードがプッシュピンを操作することによって、ハウジングから取り出すことができるものや、所謂プッシュイン・プッシュアウト方式によりＩＣカードまたはアダプタに装着したＩＣカードをハウジングに対して挿抜するもの等が知られている。
【０００４】
カードコネクタにおいては、ＩＣカードがカードコネクタに対して装着されているか否かを検知するためのスイッチが設けられている。すなわち、ＩＣカードの挿抜方向の移動に連動して切り替えられるスイッチによって、ＩＣカードの挿抜状態を検知するカードコネクタが知られている（特許文献１参照）。スイッチの検知結果がカードの信号伝達端子に対する信号伝達用コンタクトの活線／非活線状態の切り替え制御等に使用される。
【０００５】
特許文献１に記載のスイッチについて、図１８、図１９および図２０を参照して説明する。スイッチ１０は、互いにその板面が直角をなすように配置された断面Ｌ字形状をなすそれぞれ導電板からなる第１のコンタクト１および第２のコンタクト２とを備える。第１のコンタクト１は、平板状でばね性を備えた第１のばね部１１と、第１のばね部１１において、一端側から上方に向かって凸となるように湾曲して延在する操作部１２と、操作部１２の先端から平らに延びる接触基部１３と、接触基部１３一側部から、上方に向かって傾斜する傾斜部１４および傾斜部１４の先端からさらに上方に向かって折れ曲がった平面からなる接触片１５とを備える。接触片１５と第１のばね部１１とは、各平面が互いに直交するように形成されている。接触基部１３に接続された傾斜部１４および接触片１５によって第１の接触部が構成されている。
【０００６】
スイッチ１０の第２のコンタクト２は、第１のコンタクト１の平板面に、第２のコンタクト２の平面が直交するように配置された第２のばね部２１と、第２のばね部２１の先端である平面部２２と、平面部２２の上端から外方に折れ曲がった案内片２３とを備える。傾斜部１４の面と、案内片２３の面とは略平行となるように形成されている。平面部２２と案内片２３とによって第２の接触部が構成されている。
【０００７】
図１９および図２０を参照して上述したスイッチ１０の動作を説明すると、第１のコンタクト１の操作部１２がＩＣカードの挿入によって、矢印で示すようにＹ方向に押圧されるとする。押圧以前の状態では、第１のコンタクト１および第２のコンタクト２が非接触のノーマルオープン状態（スイッチＯＦＦの状態）である。
【０００８】
押圧によって、第１のコンタクト１の傾斜部１４および接触片１５が第２のコンタクト２の案内片２３に接触して、第２のコンタクト２を押圧方向Ｙと略直交するＸ方向に押圧して変位させる。Ｘ方向がカードコネクタのハウジングの厚み方向となる。第２のコンタクト２がＹ方向に変位するにつれて、第１のコンタクト１の接触部は、案内片２３の斜面に沿って次第に下方に移動し、第１のコンタクト１の接触片１５が第２のコンタクト２の平面部２２に面接触した状態（すなわち、完全にスイッチＯＮの状態）となる。
【０００９】
特許文献１に記載のスイッチでは、第２のコンタクト２は、その変位方向Ｘが押圧方向Ｙに対して直交しており、第１のコンタクト１の変位量に係わらず、第２のコンタクト２は、一定の変位量を保つことができる。したがって、第１のコンタクト１の変位量が大きな場合においても、第２のコンタクト２の変位量を少なく抑えることができる。さらに、第２のコンタクト２は一定変位量以上は変位せず、安定した接触を保つことが可能である。
【先行技術文献】
【特許文献】
【００１０】
【特許文献１】特許第３６３５３９８号公報
【発明の概要】
【発明が解決しようとする課題】
【００１１】
特許文献１のスイッチでは、第２のコンタクト２の変位方向Ｘは、カードコネクタの厚み方向であり、第２のコンタクト２の変位量は、カードコネクタのハウジングの厚みに応じたものとなる。したがって、ハウジングの厚みを薄くした場合、変位量が少なくなり、第１および第２のコンタクトの必要とする接触圧を充分に確保することができない問題が生じる。このため、カードコネクタの低背化に限界があった。さらに、第１のコンタクト１のばねスパンの方向と第２のコンタクトのばねスパンの方向とがほぼ同一の場所で平行しているので、案内部２３の傾斜面の長さを長くすることが難しく、第１のコンタクト１が第２のコンタクト２に対して乗り上げる時に、第２のコンタクト２の荷重が第１のコンタクト１に対して急激にかかる。その結果、第１のコンタクト１と第２のコンタクト２との摩擦力によって、第１のコンタクトが元の位置に復帰しないおそれが生じたり、第１のコンタクト１にねじれが生じ、座屈のおそれがあった。
【００１２】
したがって、この発明の目的は、従来のスイッチの有するこれらの問題を解決することができるカードコネクタを提供することにある。
【課題を解決するための手段】
【００１３】
上述した課題を解決するために、この発明は、カード状体またはカード状体が載置されたトレイが挿入され、カード状体またはトレイが収納可能な扁平な収納空間を有するハウジングと、
ハウジングに一端側が固定され、収納空間に挿入されるカード状体またはトレイと他端側が当接することによって撓む板ばね状の第１のコンタクトと、
一端が開放されて第１のコンタクトの他端側から一端側に向かって形成され、第１のコンタクトの板面方向に加わる力によって幅が狭くなるスリットと、
ハウジングに一端側が固定される板状の第２のコンタクトとを有し、
第１のコンタクトが付勢されることによって、第１のコンタクトの他端側の端面が板面方向に撓んで第２のコンタクトに接触して摺動するカードコネクタである。
【発明の効果】
【００１４】
この発明によれば、カード収納空間内で第１のコンタクトが撓むことができるので、カードコネクタのハウジングを低背化した場合でも、必要な荷重を確保することができる。さらに、第１のコンタクトと第２のコンタクトとの接触後の摩擦力を第１のコンタクトの移動に伴って徐々に大きくすることができ、従来の構成のように、第２のコンタクトの荷重が第１のコンタクトに対して急激にかかることによる問題を回避することができる。すなわち、第１のコンタクトが第２のコンタクトとの摩擦力によって元の位置に復帰できない問題、並びに第１のコンタクトにねじれが生じ、座屈などが生じる問題を回避することができる。
【図面の簡単な説明】
【００１５】
【図１】この発明の第１の実施の形態によるカードコネクタの一部断面斜視図である。
【図２】この発明の第１の実施の形態によるカードコネクタのシールドカバーを取り除いた状態の斜視図である。
【図３】この発明の第１の実施の形態によるカードコネクタのシールドカバーを取り除いた状態の斜視図である。
【図４】この発明の第１の実施の形態によるカードコネクタのシールドカバーを取り除いた状態で、ＩＣカードを挿入した状態の平面図である。
【図５】この発明の第１の実施の形態によるカードコネクタのシールドカバーを取り除いた状態で、ＩＣカードの装着を完了した状態の平面図である。
【図６】この発明の第１の実施の形態によるカードコネクタのシールドカバーを取り除いた状態で、ＩＣカードの装着を完了した状態の斜視図である。
【図７】ハートカムの説明のための平面図である。
【図８】この発明の第１の実施の形態のスイッチの部分の斜視図である。
【図９】この発明の第１の実施の形態のスイッチの部分の拡大斜視図である。
【図１０】この発明の第１の実施の形態のスイッチの部分の拡大斜視図である。
【図１１】この発明の第１の実施の形態のスイッチの部分の拡大平面図である。
【図１２】この発明の第１の実施の形態のスイッチの部分の動作説明に使用する平面図および側面図である。
【図１３】この発明の第１の実施の形態のスイッチの変形例を説明するための側面図および平面図である。
【図１４】この発明の第２の実施の形態のスイッチの部分の拡大斜視図である。
【図１５】この発明の第２の実施の形態によるカードコネクタのＩＣカードを挿入した状態の、スイッチの部分の拡大平面図およびカードコネクタの平面図である。
【図１６】この発明の第２の実施の形態によるカードコネクタのＩＣカードの装着を完了した状態の、スイッチの部分の拡大平面図およびカードコネクタの平面図である。
【図１７】この発明の第２の実施の形態によるカードコネクタのＩＣカードの装着を完了した状態の、カードコネクタの斜視図である。
【図１８】従来のスイッチの一例を示す斜視図である。
【図１９】従来のスイッチの一例の動作を説明するための斜視図である。
【図２０】従来のスイッチの一例の動作を説明するための斜視図である。
【発明を実施するための形態】
【００１６】
以下、この発明の実施の形態について図面を参照して説明する。なお、以下に説明する第１および第２の実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１７】
以下の説明は、下記の順序にしたがってなされる。
＜１．第１の実施の形態＞
＜２．第１の実施の形態の変形例＞
＜３．第２の実施の形態＞
＜４．変形例＞
【００１８】
＜１．第１の実施の形態＞
この発明の第１の実施の形態によるカードコネクタについて説明する。図１は、カードコネクタをＩＣカードの挿抜方向に一致する面で切断した断面図である。図１に示すように、カードコネクタは、絶縁プレート３１と、絶縁プレート３１と対向して設けられるシールドカバー３２とを有する。絶縁プレート３１およびシールドカバー３２によって、ハウジングが構成される。絶縁プレート３１は、例えば液晶ポリマーの成型品である。シールドカバー３２は、金属例えばステンレスを折り曲げ加工したものである。ハウジングの一方の端面のカード挿入口３３からＩＣカード例えばＳＩＭカードがハウジング内部に形成されたカード収納凹部に挿入される。なお、この明細書においては、カード挿入口３３の側を前または前面と称し、カード挿入口と反対側を後または背面と称し、カード挿入口から見て右側の面を右または右側面と称し、左側の面を左または左側面と称する。
【００１９】
ＳＩＭカードとしては、標準のＳＩＭカードより小さい形状のマイクロＳＩＭカード、或いはマイクロＳＩＭカードより小さいナノＳＩＭカードがある。これらのＳＩＭカードは、サイズが異なるが、ピン配置等の物理的特性は、互いに同様とされている。この発明は、何れのＳＩＭカードに対しても適用できる。さらに、ＳＤメモリカード等の他のＩＣカードに対しても適用できる。さらに、サイズが異なるＩＣカードをアダプタに装着して標準のＩＣカードと同様に使用する場合に対してもこの発明を適用することができる。さらに、カードコネクタがトレイを備え、トレイ上にＩＣカードを載置して使用する場合に対してもこの発明を適用することができる。カード状体は、ＩＣカードまたはアダプタを意味している。
【００２０】
図２および図３は、シールドカバー３２を取り除いた状態の絶縁プレート３１の斜視図である。図２および図３に示すように、絶縁プレート３１は、右側壁３４ａおよび左側壁３４ｂ、後壁３４ｃ並びにカード挿入口３３に隣接する前壁３４ｄが一体に形成され、ＩＣカードが収納可能な収納空間が形成される。絶縁プレート３１の上にシールドカバー３２が取り付けられて溶接等で固定される。
【００２１】
ＳＩＭカードには、８個のピン（電極、端子、パッドとも称される）が金メッキによって形成されており、各ピンがデータ入力／出力端子、グラウンド端子、電源入力端子等に割り当てられている。例えば携帯電話機用のＳＩＭカードの場合では、実際には、８個のピンの内で６個のピンが使用される。ＳＩＭカードのピン配置と対応して絶縁プレート３１には、それぞれ６個のコンタクト３５ａ、３５ｂ、３５ｃ、３５ｄ、３５ｅ、３５ｆが設けられている。なお、コンタクトを個々に区別する必要がない場合には、単に、コンタクト３５と称する。
【００２２】
コンタクト３５は、例えばりん青銅からなるばね接点であり、ハウジングの底面から切り起こされ、先端がＳＩＭカードのピンとの接触面とされている。コンタクト３５の他端が絶縁プレート３１の下側に導出され、絶縁プレート３１に形成されている開口３６に臨むようになされる。コンタクト３５の他端がハウジングが設置されているプリント配線基板上の配線パターンと半田付けされ、カードコネクタに挿入されたＩＣカードとプリント配線基板との間が電気的に接続される。コンタクト３５は、例えばインサート成型によって絶縁プレート３１に設けられている。なお、コンタクト３５以外の他の金属部品も同様にインサート成型によって絶縁プレート３１に対して組み込まれている。但し、後述するスライダー４１、コイルばね４２、ガイドピン４３等の部品は、絶縁プレート３１とは、別部品とされている。
【００２３】
この発明の第１の実施の形態は、プッシュイン・プッシュアウト方式によってＩＣカードを挿抜するものである。すなわち、プッシュイン・プッシュアウト方式では、同一方向の操作力の繰り返しによって押し込み動作と引き出し動作がなされる。具体的には、ハートカム式のプッシュイン・プッシュアウト機構が使用される。なお、この発明は、プッシュイン・プッシュアウト方式に限らず、ＩＣカードを挿入してロックし、ロックピンを操作してＩＣカードをカードコネクタから離脱させる構成のカードコネクタに対しても適用できる。
【００２４】
図２乃至図６に示すように、ＩＣカードと共に往復移動する金属製例えばステンレス製のスライダー４１がカード収納空間内に配置される。スライダー４１のカード挿入口側の一端は、コイルばね４２によって、常時押し出し方向に付勢されている。コイルばね４２は、絶縁プレート３１の右側壁３４ａに沿って配されている金属製のばね収納スリーブ内に配置されている。スライダー４１の他端がほぼ直角に折り曲げられ、ＩＣカードの先端の当接部とスライダー４１の先端とが当接するようになされている。ＩＣカードがカード収納空間に挿入されると、コイルばね４２の付勢方向に抗してスライダー４１がＩＣカードと一体に後方に摺動する。
【００２５】
スライダー４１に形成された穴に対してガイドピン４３の一端が回転自在に挿入される。すなわち、ガイドピン４３の一端が折り曲げ形成され、一端がスライダー４１の支持穴に挿入され、ガイドピン４３の回動中心軸が構成される。ガイドピン４３の回転自在の他端が折り曲げられ、折り曲げられた他端の先端がピンガイド溝４４内に挿入されている。ピンガイド溝４４が絶縁プレート３１上に形成されている。
【００２６】
図７に示すように、ピンガイド溝４４は、ハート形をしたハートカム４５の両側に、往路ガイド溝部４６と復路ガイド溝部４７とが設けられ、この往路ガイド溝部４６と復路ガイド溝部４７との合流部に往復共通溝部４８が設けられている。
【００２７】
ピンガイド溝４４に、ガイドピン４３の端部が挿入されて、往路ガイド溝部４６と復路ガイド溝部４７に沿って端部が循環するようになっている。ピンガイド溝４４およびガイドピン４３の端部によってプッシュイン・プッシュアウト機構が構成される。ガイドピン４３の端部が、これら往路ガイド溝部４６と復路ガイド溝部４７と往復共通溝部４８に沿って循環中に逆戻りしないように、往路ガイド溝部４６と復路ガイド溝部４７と往復共通溝部４８の底面には、移動方向規制用の段部４９ａ、４９ｂ、４９ｃ、４９ｄが設けられている。
【００２８】
段部４９ａは、往路ガイド溝部４６の末端側に達したガイドピン４３の端部が往路ガイド溝部４６側に戻らずにハートカム４５の窪み部である戻り止め停止位置ｃに向かうように設けられている。段部４９ｂは、戻り止め停止位置ｃから端部が段部４９ａ側に戻らないように設けられている。段部４９ｃは、戻り止め停止位置ｃから復路ガイド溝部４７に進むガイドピンの端部が戻り止め停止位置ｃに戻らないように設けられている。段部４９ｄは、復路ガイド溝部４７の末端から往路ガイド溝部４６と往復共通溝部４８とに入ったガイドピンの端部が復路ガイド溝部４７に戻らないように設けられている。
【００２９】
図４に示すように、ＩＣカード５０が押し出し状態、すなわち、ＩＣカード５０が引き出し方向に移動されている状態では、ガイドピン４３の端部が押し出し停止位置ａに位置する。次に、カード押し込み動作、すなわち、プッシュイン動作がなされると、端部が往路ガイド溝部４７を通ってプッシュイン押し込み動作末端停止位置ｂに達し、その位置で押し込み操作力を解除すると、コイルばね４２のばね力によって、端部が戻り止め停止位置ｃに達する。図５および図６は、プッシュイン動作後の状態を示す。
【００３０】
そして、係止解除のための再度のメモリーカード押し込み動作、すなわち、プッシュアウト動作によって、ガイドピン４３の端部がプッシュアウト押し込み動作末端停止位置ｄに達する。次に、押し込み操作力を解除することにより、コイルばね４２のばね力によって、端部が復路ガイド溝部４７を通って押し出し停止位置ａに戻る。
【００３１】
この発明の第１の実施の形態においては、ＩＣカード５０がカードコネクタに対してプッシュイン状態か否かを検知するためのスイッチ５１がカード収納空間内に設けられている。すなわち、ＩＣカードの挿抜方向の移動に連動して切り替えられるスイッチ５１によって、ＩＣカードの挿抜状態が検知され、検知結果が信号伝達用コンタクト３５の活線／非活線状態の切り替え制御等に使用される。
【００３２】
図８乃至図１０を参照してスイッチ５１についてより詳細に説明する。スイッチ５１は、第１のコンタクト５２および第２のコンタクト５３からなる。第１のコンタクト５２および第２のコンタクト５３は、共にりん青銅からなるばね接点であり、インサート成型によって絶縁プレート３１のカード収納凹部の後方に設けられている。第１のコンタクト５２と電気的に接続される端子および第２のコンタクト５３と電気的に接続される端子が絶縁プレート３１の側面または底面に導出され、外部のプリント配線基板と接続される。
【００３３】
第１のコンタクト５２は、ＩＣカード５０の挿抜方向とほぼ直交する板面を有する板バネであり、その基部がカード収納凹部の後壁３４ｃの近傍において絶縁プレート３１にインサート成型によって固定されている。第１のコンタクト５２の板状のばね部５４の先端を延長してカード挿入口側に向かって弾性的に隆起されて半円状の突出部が設けられる。さらに、先端がカード挿抜方向と平行となるように折り曲げられる。半円状の突出部がＩＣカード５０の前端面と当接する作動部５５である。
【００３４】
第１のコンタクト５２は、一端が開放され、第１のコンタクト５２の他端側から一端側に延びる細帯状のスリット５６を有する。例えばスリット５６は、開放端から作動部５５を超える程度の位置まで形成される。スリット５６は、第１のコンタクト５２の幅の中間位置に形成され、第１のコンタクト５２の他端側から一端側に向かって開口幅が徐々に小となる形状とされている。第１のコンタクト５２の他端の下側端面が第２のコンタクト５３と接触する接触部５７とされている。接触部５７は、第２のコンタクト５３の傾斜接触面に沿った傾きを有する。
【００３５】
絶縁プレート３１の後壁３４ｃに接して窓部５８が形成され、カードの挿抜方向と平行する板面を有し、後壁３４ｃから窓部５８に向かって突出する板状ばねが設けられる。板状ばねの中央部が切り起こされて第２のコンタクト５３とされている。なお、第１のコンタクト５２のばね部５４の下端面から下方へ突出する突起５９が形成され、突起５９が窓部５８のコーナー部６０に当接するようになされ、必要以上に第１のコンタクト５２が開かないように規制されている。
【００３６】
第２のコンタクト５３は、カード挿入口側の基部から後壁３４ｃ側の自由端に向かって上昇する傾斜面を有する切り起こし片である。傾斜面に対して第１のコンタクト５２の接触部５７が接触可能とされている。さらに、第２のコンタクト５３の自由端の近傍がより上側に向くように、傾斜が異ならされている。これは、第１のコンタクト５２の接触部５７が第２のコンタクト５３の傾斜面に沿って摺動する場合に、第２のコンタクト５３の傾斜面の先端付近では、より大きな接触圧を生じさせ、第１および第２のコンタクトの接触を安定とするためである。
【００３７】
図１１Ａは、ＩＣカード５０の装着が完了していない状態、すなわち、カード押し出し状態を拡大して示す。カード押し出し状態では、第１のコンタクト５２と第２のコンタクト５３とは、非接触状態であり、スイッチＯＦＦの状態（ノーマルＯＦＦ）である。そして、ＩＣカード５０がプッシュインされ、装着完了状態となると、図１１Ｂに示すように、ＩＣカード５０の当接部が第１のコンタクト５２の作動部を押して、第１のコンタクト５２と第２のコンタクト５３とが接触し、スイッチＯＮの状態となる。すなわち、第１のコンタクト５２の接触部５７が第２のコンタクト５３の傾斜面と弾性的に接触する。
【００３８】
ＩＣカード５０が挿入され、ＩＣカード５０によって第１のコンタクト５２が押される場合のスイッチ５１の状態変化の過程を図１２Ａおよび図１２Ｂに示す。図１２Ａおよび図１２Ｂは、第１のコンタクト５２の作動部がＩＣカード５０の当接部によって押されて、状態Ｓａ、Ｓｂ、Ｓｃと順次変化する状態を示す。
【００３９】
状態Ｓａは、ＩＣカード５０による押圧動作が何らなされない状態で、第１のコンタクト５２および第２のコンタクト５３が非接触状態を示す。状態Ｓｂは、ＩＣカード５０の当接部が第１のコンタクト５２の作動部を押しているが、第１のコンタクト５２および第２のコンタクト５３が非接触状態を示す。状態Ｓｃは、ＩＣカード５０のプッシュインされて装着が完了して、第１のコンタクト５２および第２のコンタクト５３が接触する接触状態を示す。状態ＳａおよびＳｂにおいて、スイッチ５１がＯＦＦであり、状態Ｓｃにおいて、スイッチ５１がＯＮである。
【００４０】
状態Ｓｃにおいて、第１のコンタクト５２のばねスパン方向と第２のコンタクト５３のばねスパン方向とがほぼ直角に交叉している。ばねスパンとは、板ばねの荷重支持点間の距離のことであり、ばねスパン方向は、荷重支持点間を結ぶ方向のことである。第１のコンタクト５２の場合では、基部の固定位置と、可動の先端を結ぶ方向がばねスパン方向となる。第２のコンタクト５３の場合では、切り起こしの基部と、切り起こし片の先端とを結ぶ方向がばねスパン方向となる。
【００４１】
上述した状態の変化の過程において、第１のコンタクト５２の動作を図１２Ｂに示す。状態ＳａおよびＳｂでは、第１のコンタクト５２および第２のコンタクト５３が非接触であるので、第１のコンタクト５２のスリット５６を含む先端部は、変化しない。状態Ｓｂから状態Ｓｃに変化する過程においては、第１のコンタクト５２の接触部５７が第２のコンタクト５３の傾斜面とを接触し、第２のコンタクト５３の傾斜面を徐々に下側に押し込む。この場合、第１のコンタクト５２の接触部５７に対して上方向に押し上げる力が加わり、スリット５６を幅を小とするように、スリット５６を挟む下側片と上側片とで構成されるばねが動作する。
【００４２】
第１のコンタクト５２のスリット５６を挟む下側片と上側片とで構成されるばねの復帰力は、第１のコンタクト５２が第２のコンタクト５３と接触してから傾斜面を摺動する過程で徐々に強くなる。したがって、第１のコンタクト５２と第２のコンタクト５３の接触後の接触圧（摩擦力）が第１のコンタクト５２の移動に伴って徐々に大きくなる。このような作用によって、前述した従来のスイッチのように、コンタクトの接触不良やねじれによる座屈を防止することができる。
【００４３】
さらに、この発明の第１の実施の形態では、スリット５６の下側の板ばね部分の幅や、スリット５６の長手方向の長さによって、所望の接触圧を設定することができる。すなわち、下側の板ばね部分の幅が大きいほど、ばねの発生する荷重が大となり、スリット５６の長さが短いほど、ばねの発生する荷重が大となる。
【００４４】
＜２．第１の実施の形態の変形例＞
図１３Ａおよび図１３Ｂは、この発明の第１の実施の形態の変形例を示すものである。第１のコンタクト５２のスリット５６の上側の作動部５５ａと下側の作動部５５ｂとの間で挿抜方向における段差６１を設けるものである。例えば第２のコンタクト５３と接触する下側の作動部５５ｂは、上述した第１の実施の形態における作動部５５の位置と同一とされている。第１のコンタクト５２を曲げることによって、上側の作動部５５ａがＩＣカードの挿入口側により近い位置とされて、段差６１が形成される。
【００４５】
この変形例では、段差６１の大きさによって、スイッチ５１のＯＮ／ＯＦＦのタイミングを調整することができる。すなわち、段差６１を大きくすると、ＩＣカード５０の挿入時に、第１のコンタクト５２の動きだすタイミングが早くなり、スイッチのＯＮするタイミングを早めることができる。ＩＣカード５０を抜き取る場合には、段差６１を大きくすると、第１のコンタクト５２の動きだすタイミングが遅くなり、スイッチのＯＦＦするタイミングを遅くすることができる。
【００４６】
＜３．第２の実施の形態＞
この発明の第２の実施の形態について図１４乃至図１７を参照して説明する。第２の実施の形態のスイッチ７１は、図１４に示すように、第１のコンタクト７２と第２のコンタクト７３とからなる。第１のコンタクト７２は、ＩＣカード５０の挿抜方向とほぼ直交する板面を有する板バネであり、その基部がカード収納凹部の後壁の近傍において絶縁プレート３１にインサート成型によって固定されている。第１のコンタクト７２は、挿抜方向と板面が直交する板ばねのばね部７４の自由端をカード挿入口側と反対側にほぼ１８０°折り曲げ返した形状とされている。
【００４７】
折り曲げ部のばね部７４側の平面が作動部７５とされ、図１６および図１７に示すように、ＩＣカード５０の先端の当接部が作動部７５に当接して第１のコンタクト７２を押圧する。折り曲げ返された自由端の近傍にスリット７６が形成される。スリット７６の下側片および上側片のそれぞれがほぼ直角に下方に延長され、延長端が内側に曲げられることによって第２のコンタクト７３と接触しうる接触部７７ａおよび７７ｂが形成される。このように、板ばねを折り曲げ返すことよって２層の先端部を形成し、一方の先端部にＩＣカード５０の先端と当接する作動部７５を設け、他方の先端部にスリット７６を挟んで位置する２個の接触部７７ａおよび７７ｂを形成することができる。
【００４８】
第２のコンタクト７３は、絶縁プレートにインサート成型によって一端が固定されている板ばねである。第２のコンタクト７３の自由端が下方に所定の角度、折り曲げられ、傾斜面７９が形成されている。第１のコンタクト７２のばねスパンの方向と第２のコンタクト７３のばねスパンの方向とがほぼ直角に交叉する。
【００４９】
図１５乃至図１７に示すカードコネクタは、プッシュイン・プッシュアウト方式のカードコネクタであるが、ＩＣカード７０が第１の実施の形態と異なる種類のＩＣカード例えばＳＤメモリカードを使用するものである。ＩＣカード７０は、裏面に外部接続用のピンが配列されている。ＩＣカード７０のピン配置と対応してカードコネクタの絶縁プレート８１の底面には、８本の細長帯状コンタクト８２と外部接続用端子８３とがインサート成型によって設けられている。外部接続用端子８３が外部のプリント配線基板と接続される。コンタクト８２は、例えばりん青銅からなるばね接点である。絶縁プレート３１は、例えば液晶ポリマーの成型品である。
【００５０】
図１５Ｂは、カードコネクタのカード収納凹部に対してＩＣカード７０を挿入して装着が完了していない段階、またはＩＣカード７０を押し出した段階を示し、図１６Ｂおよび図１７は、ＩＣカード７０の装着を完了した段階を示す。なお、これらの図面は、シールドカバーを取り外した状態を示す。絶縁プレート８１およびシールドカバーによってハウジングが形成される。カードコネクタには、コイルばね８４によって常に排出方向に付勢されているスライダー８５が備えられている。
【００５１】
スライダー８５に対してハートカム８６のピンガイド溝８７が形成されている。ピンガイド溝８７に対してガイドピン８８の先端部が摺動自在に挿入される。ガイドピン８８の基部は、絶縁プレート８１に形成された凹部に回転自在に挿入されている。ハートカム８６によって、ロック機構が構成され、プッシュイン・プッシュアウト方式のカードコネクタが構成される。
【００５２】
さらに、スライダー８５のカード挿入側に、板ばね８９が設けられている。板ばね８９は、先端部がＵ字状に折り曲げられ、板ばね８９の凸部がカード収納凹部に突出するようになされる。板ばね８９の凸部がＩＣカード７０の側面に形成されている係止用の凹部９０と入り込むようになされている。
【００５３】
上述したカードコネクタのカード収納空間内にスイッチ７１が設けられている。スイッチ７１は、ＩＣカード７０が非挿入状態またはＩＣカード７０が押し込まれていないイジェクト状態（図１５Ｂ）では、第１のコンタクト７２と第２のコンタクト７３とが接触せず、スイッチＯＦＦの状態である。図１６Ｂおよび図１７に示すように、ＩＣカード７０がカードコネクタに対して押し込まれ、装着が完了すると、第１のコンタクト７２と第２のコンタクト７３とが接触して、スイッチＯＮの状態となる。このように、ＩＣカード７０の挿抜状態が検知され、検知結果によって信号伝達用コンタクト８２の活線／非活線状態の切り替え制御等に使用される。第２の実施の形態は、第１の実施の形態と同様の効果を奏することができる。加えて、第２の実施の形態は、二つの接触部７７ａおよび７７ｂを有するので、確実なコンタクトの接触を図ることができ、さらに、コンタクトのセルフクリーニング効果を向上させることができる。
【００５４】
＜４．変形例＞
以上、この発明の実施の形態について具体的に説明したが、上述の各実施の形態に限定されるものではなく、この発明の技術的思想に基づく各種の変形が可能である。例えば上述した実施の形態では、ハウジングの奥側にスイッチが設けられ、第１のコンタクトがカード状体またはトレイの挿抜方向とほぼ直交する方向に板面を持つようにされている。しかしながら、ハウジングの側壁の近傍に第１のコンタクトがその板面が挿抜方向とほぼ同様の方向を持つように配され、カード状体またはトレイが挿入される場合に、第１のコンタクトが挿抜方向とほぼ直交する方向に撓むような構成としても良い。
【００５５】
例えば、上述の第１および第２の実施の形態では、ノーマルオープン式のスイッチについて説明したが、スイッチは、常閉式のものであっても良い。さらに、プッシュイン・プッシュアウト方式以外のカードコネクタに対してこの発明を適用しても良い。具体的には、ハートカムによるロック機構を使用しないカードコネクタに対してもこの発明を適用できる。上述の実施の形態において挙げた構成、方法、工程、形状、材料および数値などはあくまでも例に過ぎず、必要に応じてこれと異なる構成、方法、工程、形状、材料および数値などを用いても良い。
【符号の説明】
【００５６】
１，５２，７２・・・第１のコンタクト
２，５３，７３・・・第２のコンタクト
１０，５１，７１・・・スイッチ
３１，８１・・・絶縁プレート
３２・・・シールドカバー
３３・・・カード挿入口
３５，８２・・・コンタクト
４１，８５・・・スライダー
４２，８４・・・コイルばね
４３，８８・・・ガイドピン
４４，８７・・・ピンガイド溝
４５，８６・・・ハートカム
５０，７０・・・ＩＣカード
５５，７５・・・作動部
５６，７６・・・スリット
５７，７７ａ，７７ｂ・・・接触部
【図１】
2014165164.tif 000003
【図２】
2014165164.tif 000004
【図３】
2014165164.tif 000005
【図４】
2014165164.tif 000006
【図５】
2014165164.tif 000007
【図６】
2014165164.tif 000008
【図７】
2014165164.tif 000009
【図８】
2014165164.tif 000010
【図９】
2014165164.tif 000011
【図１０】
2014165164.tif 000012
【図１１】
2014165164.tif 000013
【図１２】
2014165164.tif 000014
【図１３】
2014165164.tif 000015
【図１４】
2014165164.tif 000016
【図１５】
2014165164.tif 000017
【図１６】
2014165164.tif 000018
【図１７】
2014165164.tif 000019
【図１８】
2014165164.tif 000020
【図１９】
2014165164.tif 000021
【図２０】
2014165164.tif 000022